(57)【要約】【課題】指などのポインタがタッチパネルから外れても画面スクロールを継続して行うことができる情報表示装置を提供する。【解決手段】タッチパネル上の接触された座標位置を検出するタッチ座標検出部４と、タッチパネル外の空間における座標位置を検出する空間座標検出部６と、タッチ座標検出部４で検出された座標位置が所定の位置であるとき、座標位置の検出をタッチ座標検出部４から空間座標検出部６に切り替える中央制御部７と、タッチ座標検出部４又は空間座標検出部６のいずれかで検出された座標位置に基づいて、タッチパネルの画面表示を制御する画像表示制御部３とを備える。【選択図】図１
2010205134.tif 000002
【特許請求の範囲】
【請求項１】
タッチパネルを備えた情報表示装置であって、
前記タッチパネル上の接触された座標位置を検出するタッチ座標検出部と、
前記タッチパネル外の空間における座標位置を検出する空間座標検出部と、
前記タッチ座標検出部で検出された座標位置が所定の位置であるとき、座標位置の検出を前記タッチ座標検出部から前記空間座標検出部に切り替える制御部と、
前記タッチ座標検出部または前記空間座標検出部のいずれかで検出された座標位置に基づいて、前記タッチパネルの画面表示を制御する画面表示制御部と、
を備えた情報表示装置。
【請求項２】
前記所定の位置は前記タッチパネルの外周であり、前記制御部は、前記タッチ座標検出部で検出された座標位置が前記タッチパネルの外周にあるとき、座標位置の検出を前記タッチ座標検出部から前記空間座標検出部に切り替えることを特徴とする請求項１記載の情報表示装置。
【請求項３】
前記制御部は、前記タッチ座標検出部で検出される座標位置の移動速度が一定以上であり、かつ、座標位置の検出が無くなる直前の座標位置が前記所定の位置から一定の範囲に含まれるとき、座標位置の検出を前記空間座標検出部に切り替えることを特徴とする請求項１記載の情報表示装置。
【請求項４】
前記空間座標検出部は、複数の赤外線センサであり、前記複数の赤外線センサから出力される検知信号に基づいて座標位置を算出することを特徴とする請求項１記載の情報表示装置。
【請求項５】
前記空間座標検出部は、カメラであり、前記カメラから出力される画像信号に基づいて座標位置を算出することを特徴とする請求項１記載の情報表示装置。
【発明の詳細な説明】
【技術分野】
【０００１】
本発明は、タッチパネルを搭載した携帯電話、ＰＤＡ（Personal Digital Assistant）、カーナビゲーションなどの情報表示装置に関する。
【背景技術】
【０００２】
タッチパネルを搭載した情報表示装置では、画像表示部（液晶ディスプレイなど）の表示画面を上下左右方向に移動させる画面スクロールが可能となっている。この画面スクロールには、一般的なドラッグ操作によるものと、フリック操作（弾くような操作）によるものがある。
【０００３】
画面スクロールを実現するスクロール制御として、特許文献１で開示されたスクロール制御装置では、タッチパネル上のドラッグ操作を停止しても画面スクロールを継続するようにしている。このときのスクロールの方向及び速度は、直前の移動変化量から算出される。図７は、その様子を示す図であり、Ａで座標入力（ドラッグ操作）が無くなる直前の方向と速度によりＢの移動方向と移動量を決める。
【０００４】
また、特許文献２で開示されたタッチパッド付き情報処理装置では、タッチパッド（タッチパネル）周辺に設けた圧力センサで圧力を検出してスクロール判定を行うようにしている。図８は、その様子を示す図であり、ドラッグの方向でスクロールの方向を決定し、タッチパッド周辺に設けた圧力センサ１００の押圧によりスクロール移動を制御する。
【０００５】
【特許文献１】特開平１０−１６１６２８号公報
【特許文献２】特開２００２−１８２８４７号公報
【発明の開示】
【発明が解決しようとする課題】
【０００６】
しかしながら、上述した従来のスクロール操作においては、指などのポインタがタッチパネルを外れると画面スクロールができなくなる問題がある。この問題は、携帯電話、ＰＤＡ、カーナビゲーションなどの画像表示部の大きさが制限される小型の情報表示装置では大きく、例えばインターネットの大きなＷｅｂ画面の画面全体のレイアウトを把握し難い。
【０００７】
本発明は、係る事情に鑑みてなされたものであり、指などのポインタがタッチパネルから外れても画面スクロールを継続して行うことができる情報表示装置を提供することを目的とする。
【課題を解決するための手段】
【０００８】
本発明の情報表示装置は、タッチパネルを備えた情報表示装置であって、前記タッチパネル上の接触された座標位置を検出するタッチ座標検出部と、前記タッチパネル外の空間における座標位置を検出する空間座標検出部と、前記タッチ座標検出部で検出された座標位置が所定の位置であるとき、座標位置の検出を前記タッチ座標検出部から前記空間座標検出部に切り替える制御部と、前記タッチ座標検出部または前記空間座標検出部のいずれかで検出された座標位置に基づいて、前記タッチパネルの画面表示を制御する画面表示制御部と、を備えた。
【０００９】
上記構成によれば、空間座標検出部でタッチパネル外の空間における座標位置を検出するようにし、タッチ座標検出部で検出された座標位置が所定の位置であるときに、座標位置の検出をタッチ座標検出部から空間座標検出部に切り替えて、空間座標検出部で検出された座標位置に基づいて、タッチパネルの画面表示を制御するので、座標位置の検出をタッチ座標検出部から空間座標検出部に切り替える位置（所定の位置）をタッチパネルの外周とすると、指などのポインタがタッチパネルから外れても画面スクロールを継続して行うことが可能となる。
【００１０】
上記構成において、前記所定の位置は前記タッチパネルの外周であり、前記制御部は、前記タッチ座標検出部で検出された座標位置が前記タッチパネルの外周にあるとき、座標位置の検出を前記タッチ座標検出部から前記空間座標検出部に切り替える。
【００１１】
上記構成によれば、タッチ座標検出部で検出された座標位置がタッチパネルの外周であるときに、座標位置の検出をタッチ座標検出部から空間座標検出部に切り替えるので、指などのポインタがタッチパネルから外れても画面スクロールを継続して行うことが可能となる。
【００１２】
上記構成において、前記制御部は、前記タッチ座標検出部で検出される座標位置の移動速度が一定以上であり、かつ、座標位置の検出が無くなる直前の座標位置が前記所定の位置から一定の範囲に含まれるとき、座標位置の検出を前記空間座標検出部に切り替える。
【００１３】
上記構成によれば、座標位置の検出を空間座標検出部に切り替えるための条件を設定したので、当該条件以外では空間座標による画面スクロールが行われないため、意図しない空間座標による画面スクロールを防止できる。
【００１４】
上記構成において、前記空間座標検出部は、複数の赤外線センサであり、前記複数の赤外線センサから出力される検知信号に基づいて座標位置を算出する。
【００１５】
上記構成によれば、精度良く座標位置を算出することができ、空間座標による画面スクロールを確実に行うことができる。
【００１６】
上記構成において、前記空間座標検出部は、カメラであり、前記カメラから出力される画像信号に基づいて座標位置を算出する。
【００１７】
上記構成によれば、精度良く座標位置を算出することができ、空間座標による画面スクロールを確実に行うことができる。
【発明の効果】
【００１８】
本発明は、空間座標検出部でタッチパネル外の空間における座標位置を検出するようにし、タッチ座標検出部で検出された座標位置が所定の位置であるときに、座標位置の検出をタッチ座標検出部から空間座標検出部に切り替えて、空間座標検出部で検出された座標位置に基づいて、タッチパネルの画面表示を制御するので、指などのポインタがタッチパネルから外れても画面スクロールを継続して行うことができる。
【発明を実施するための最良の形態】
【００１９】
以下、本発明を実施するための好適な実施の形態について、図面を参照して詳細に説明する。
【００２０】
図１は、本発明の一実施の形態に係る情報表示装置の概略構成を示すブロック図である。同図において、本実施の形態の情報表示装置１は、タッチパネルを搭載した携帯電話、ＰＤＡ、カーナビゲーションなどの情報表示装置であり、画像表示部２と、画像表示制御部３と、タッチ座標検出部４と、記憶部５と、空間座標検出部６と、中央制御部７とを備えている。中央制御部７は、座標演算部７１及び座標検出切替判定部７２を有する。
【００２１】
画像表示部２は画像を表示するものであり、例えば液晶ディスプレイ又は有機ＥＬディスプレイである。画像表示制御部３は、画像データと、タッチ座標検出部４または空間座標検出部６のいずれかで検出された座標位置に応じた表示位置データとから画像表示部２に表示するための表示データを生成する。タッチ座標検出部４は、タッチパネル（図示略）を含み、該タッチパネル上のポインタ（人の指等）の接触の有無及び接触した場合の座標位置を検出して座標データを出力する。記憶部５は、ＲＡＭ（Random Access Memory）等の揮発性メモリであり、画像データ及び座標データを記憶する。空間座標検出部６は、２つの赤外線センサを有し、これらの赤外線センサから出力される検知信号に基づいて、タッチ座標検出部４外の空間におけるポインタの座標位置を検出して座標データを出力する。なお、空間座標検出部６に用いるセンサとして、上記した赤外線センサの他に、カメラや超音波センサでもよい。
【００２２】
中央制御部７は、ＣＰＵ（Central Processing Unit）であり、タッチ座標検出部４及び空間座標検出部６のそれぞれが検出した座標データに対する処理や画像データの作成処理を行う。座標演算部７１は、タッチ座標検出部４及び空間座標検出部６のそれぞれが検出した座標データから画面スクロールの位置を決定する。
【００２３】
座標検出切替判定部７２は、タッチ座標検出部４及び空間座標検出部６のどちらの座標データを使うかの判定を行う。即ち、座標検出切替判定部７２は、タッチ座標検出部４で検出される座標位置の移動速度が一定以上であり、かつ、座標位置の検出が無くなる直前の座標位置がタッチパネルの外周（枠とも言う）であるとき、座標位置の検出を空間座標検出部６に切り替える。
【００２４】
ここで、図２を参照して、タッチパネル枠外への移動判定例とタッチパネル端からの移動量の検出例について説明する。
（タッチパネル枠外への移動判定例）
図２において、ドラッグＤＧの移動速度が一定以上で、かつ座標入力がなくなる直前の座標がタッチパネルの枠を超えてドラッグが行われたと判定する。
（タッチパネル端からの移動量の検出例）
図２において、タッチパネルであるタッチ座標検出部４の片方の対角線上の両角部分に、それぞれ発光素子と受光素子を有する赤外線センサ１０Ａ、１０Ｂを配置し、それぞれからポインタ（この図では“ペン”）１５までの距離を測定することで、タッチパネル外の座標を算出する。なお、空間座標検出部６のセンサに超音波センサを用いた場合も赤外線センサと略同様にタッチパネル枠外の座標を算出することができる。
【００２５】
なお、タッチパネル端からの移動量の検出例として、空間座標検出部６のセンサにカメラを用いた場合は、図３に示すように、カメラ２０で撮影した画像からポインタ１５までの距離と方向を計算することで、タッチパネルの枠外の座標を算出することができる。
【００２６】
図４は、中央制御部７による画面スクロール処理を示すフローチャートである。同図において、タッチ座標検出部４からユーザによって座標入力が行われる（ステップＳ１０）。中央制御部７はタッチ座標検出部４から座標入力が有るかどうか判定し（ステップＳ１１）、座標入力がない場合は本処理を抜ける。座標入力がある場合は、枠外移動判定処理を行う（ステップＳ１２）。即ち、ポインタがタッチパネルの枠を超えたかどうか判定する。そして、この判定処理結果からポインタの枠外への移動かどうか判定し（ステップＳ１３）、枠外への移動でない場合即ち枠内での移動である場合は、タッチ座標検出部４からの座標データに基づき、画像の表示位置を移動する（ステップＳ１４）。これに対して、ポインタの枠外への移動である場合は、座標情報の取得先をタッチ座標検出部４から空間座標検出部６に切替える（ステップＳ１５）。これにより、空間座標検出部６から座標入力が行われる（ステップＳ１６）。中央制御部７は、空間座標検出部６から座標入力が有るかどうか判定し（ステップＳ１７）、座標入力がない場合は本処理を抜ける。座標入力があれば、空間座標検出部６からの座標データに基づき、画像の表示位置を移動する（ステップＳ１８）。
【００２７】
本実施の形態の情報表示装置１による画面スクロールのイメージを図５及び図６に示す。図５において、画面Ｄ１はスクロール対象画面、画面Ｄ２はタッチパネル端までスクロールした時の画面、画面Ｄ３はスクロール後の画面、Ａはドラッグ開始位置、Ｂはタッチパネル端から外れた位置、Ｃはタッチパネル端を超えて指が移動した位置である。タッチパネル上で指をＡからＢにドラッグすることにより、画面をＤ１からＤ２にスクロールさせることができる。さらに、タッチパネル端Ｂから指が外れてＣまで移動させることで、Ｄ３まで画面をスクロールさせることができる。
【００２８】
図６は、曲線的な移動で画面スクロールさせた場合を示し、仮想画面Ｄ４上の波線部分Ｄ４−１は、指の操作をＡ〜Ｂ〜Ｃとした場合に画像表示部２に表示されるエリアのイメージである。このように曲線的な移動であっても画面スクロールさせることができる。
【００２９】
以上のように本実施の形態の情報表示装置１によれば、空間座標検出部６でタッチパネル外の空間における座標位置を検出するようにし、タッチ座標検出部４で検出された座標位置がタッチパネルの外周にあるときに、座標位置の検出をタッチ座標検出部４から空間座標検出部６に切り替えて、空間座標検出部６で検出された座標位置に基づいて、タッチパネルの画面表示を制御するので、指などのポインタがタッチパネルの枠を外れても画面スクロールを継続して行うことが可能となる。また、タッチ座標検出部４から空間座標検出部６への切り替えを、タッチ座標検出部４で検出される座標位置の移動速度が一定以上であり、かつ、座標位置の検出が無くなる直前の座標位置がタッチパネルの外周にあるときに行うので、意図しない空間座標による画面スクロールを防止することができる。
【００３０】
なお、上記実施の形態では、タッチ座標検出部４で検出された座標位置がタッチパネルの外周であるときに、座標位置の検出をタッチ座標検出部４から空間座標検出部６に切り替えるようにしたが、切り替える位置はタッチパネルの外周に限定されるものではなく、任意の位置に決めることができる。
【産業上の利用可能性】
【００３１】
本発明は、指などのポインタがタッチパネルから外れても画面スクロールを継続して行うことができるといった効果を有し、携帯電話、ＰＤＡ、カーナビゲーションなどの画像表示部の大きさが制限される小型の情報表示装置への適用が可能である。
【図面の簡単な説明】
【００３２】
【図１】本発明の一実施の形態に係る情報表示装置の概略構成を示すブロック図
【図２】図１の情報表示装置におけるタッチパネル枠外への移動判定例とタッチパネル端からの移動量の検出例を説明するための図
【図３】図１の情報表示装置におけるタッチパネル端からの移動量の他の検出例を説明するための図
【図４】図１の情報表示装置の中央制御部による画面スクロール処理を説明するためのフローチャート
【図５】図１の情報表示装置による画面スクロールのイメージを示す図
【図６】図１の情報表示装置による画面スクロールのイメージを示す図
【図７】従来の画面スクロール制御を説明するための図
【図８】従来の画面スクロール制御を説明するための図
【符号の説明】
【００３３】
１  情報表示装置
２  画像表示部
３  画像表示制御部
４  タッチ座標検出部
５  記憶部
６  空間座標検出部
７  中央制御部
１０Ａ、１０Ｂ  赤外線センサ
１５  ペン
２０  カメラ
７１  座標演算部
７２  座標検出切替判定部
【図１】
2010205134.tif 000003
【図２】
2010205134.tif 000004
【図３】
2010205134.tif 000005
【図４】
2010205134.tif 000006
【図５】
2010205134.tif 000007
【図６】
2010205134.tif 000008
【図７】
2010205134.tif 000009
【図８】
2010205134.tif 000010